(57)【要約】【課題】原稿読取の構成を利用して、原稿の大きさを検出することを課題とする。【解決手段】  原稿を載置する原稿台と、原稿台に載置された原稿を上から覆い押さえる原稿カバーと、原稿台の下部に配置され、原稿を読み取る光を、原稿カバーで覆われた原稿に向かって出射する光源と、光源を副走査方向に移動させる走査制御部と、走査制御部によって光源を移動させているときに、原稿および原稿カバーによって反射された光を受光して、原稿および原稿の端部に形成された画像情報を読み取る画像読取部と、画像読取部により読み取られた画像情報から、原稿の端部に形成された影の主走査方向の位置および影の主走査方向の長さを認識する影認識部と、影の位置および影の長さを利用して、原稿の主走査方向の長さと副走査方向の長さとを判定する原稿サイズ判定部とを備える。【選択図】図１
2018006955.tif 000002
【特許請求の範囲】
【請求項１】
原稿を載置する原稿台と、
前記原稿台に載置された原稿を上から覆い押さえる原稿カバーと、
前記原稿台の下部に配置され、前記原稿を読み取る光を、前記原稿カバーで覆われた原稿に向かって出射する光源と、
前記光源を、副走査方向に移動させる走査制御部と、
前記走査制御部によって光源を移動させているときに、前記原稿および原稿カバーによって反射された光を受光して、原稿および原稿の端部に形成された画像情報を読み取る画像読取部と、
前記画像読取部により読み取られた画像情報から、原稿の端部に形成された影の副走査方向の位置および影の主走査方向の長さを認識する影認識部と、
前記影の副走査方向の位置および影の主走査方向の長さを利用して、前記原稿の主走査方向の長さと副走査方向の長さとを判定する原稿サイズ判定部とを備えたことを特徴とする画像読取装置。
【請求項２】
前記光源は、主走査方向に細長い１つまたは複数の発光部材であり、
前記画像読取部は、主走査方向に細長い受光部材であり、
前記光源が複数の発光部材からなる場合、複数の光源から出射される光の強度を異ならせて点灯させることによって、前記影認識部が、原稿の端部に形成された影の副走査方向の位置および影の主走査方向の長さを認識することを特徴とする請求項１に記載の画像読取装置。
【請求項３】
前記光源が２つの発光部材からなる場合、光源は副走査方向に所定の距離だけ離して並行に配置されている左光源と右光源とからなり、
前記左光源と右光源から出射される光の強度を異ならせることによって、前記原稿の左端または右端に影を形成させ、前記影認識部が、前記画像読取部により読み取られた画像情報に含まれる原稿の左端または右端に形成された影の副走査方向の位置および影の主走査方向の長さを認識することを特徴とする請求項２に記載の画像読取装置。
【請求項４】
前記光源が２つの発光部材からなる場合、
前記左光源から出射される光の強度を、前記右光源から出射される光の強度よりも弱くした状態で、前記走査制御部が前記光源を移動させることによって、前記原稿の左端に左端影を形成させ、
前記影認識部が、前記画像読取部により読み取られた画像情報に含まれる前記左端影の副走査方向の位置および左端影の主走査方向の長さを認識することを特徴とする請求項３に記載の画像読取装置。
【請求項５】
前記光源が２つの発光部材からなる場合、
前記左光源から出射される光の強度を、前記右光源から出射される光の強度よりも強くした状態で、前記走査制御部が前記光源を移動させることによって、前記原稿の右端に右端影を形成させ、
前記影認識部が、前記画像読取部により読み取られた画像情報に含まれる前記右端影の副走査方向の位置および右端影の主走査方向の長さを認識することを特徴とする請求項３に記載の画像読取装置。
【請求項６】
前記影認識部が認識した前記影の主走査方向の長さから、前記原稿の主走査方向の長さである原稿幅を算出する原稿幅算出部と、
前記影認識部が認識した前記原稿の左端部に形成された左端影の副走査方向の位置と、前記原稿の右端部に形成された右端影の副走査方向の位置との距離から、前記原稿の副走査方向の長さである原稿長さを算出する原稿長さ算出部とを備え、
前記原稿サイズ判定部が、前記算出された原稿幅と原稿長さとから、前記原稿台に載置された原稿のサイズを判定することを特徴とする請求項３に記載の画像読取装置。
【請求項７】
所定の定型原稿のサイズを特定する原稿の主走査方向の長さと原稿の副走査方向の長さとからなる定型用紙情報を予め記憶した記憶部を備え、
前記原稿台に載置された原稿が、前記定型原稿である場合、前記原稿幅算出部が、前記影認識部が認識した前記影の主走査方向の長さを、前記原稿の主走査方向の長さであると算出し、
前記原稿長さ算出部が、前記記憶部に記憶された定型用紙情報を利用して、前記算出された原稿の主走査方向の長さと対応する原稿の副走査方向の長さを算出することにより、前記原稿台に載置された定型原稿のサイズを判定することを特徴とする請求項６に記載の画像読取装置。
【請求項８】
前記光源が２つの発光部材からなる場合、
前記左光源から出射される光の強度を、前記右光源から出射される光の強度よりも弱くした状態で、前記走査制御部が前記光源を移動させることによって、前記影認識部が前記原稿の左端に形成された左端影を認識し、
前記原稿幅算出部が、前記認識された左端影の主走査方向の長さから原稿幅を算出した後、前記左光源から出射される光の強度を、前記右光源から出射される光の強度よりも強くした状態で、前記走査制御部が前記光源を原稿の下方を移動させることによって、前記画像読取部が原稿に記載された画像情報を読取り、
前記光源を原稿の右端付近を移動させることによって、前記影認識部が前記原稿の右端に形成された右端影を認識した後、
前記原稿長さ算出部が、前記認識された左端影の副走査方向の位置と、前記原稿の右端部に形成された右端影の副走査方向の位置との距離から、前記原稿の副走査方向の長さである原稿長さを算出し、
前記原稿サイズ判定部が、前記算出された原稿幅と原稿長さとから、前記原稿台に載置された原稿のサイズを判定することを特徴とする請求項６に記載の画像読取装置。
【請求項９】
前記光源が２つの発光部材からなる場合、
前記原稿を前記原稿台の左端によせて載置し、前記光源の初期位置を前記原稿の右端よりも右側の前記原稿台の右端によせて設定し、
前記左光源から出射される光の強度を、前記右光源から出射される光の強度よりも強くした状態で、前記走査制御部が前記光源を左方向に移動させることによって、前記影認識部が前記原稿の右端に形成された右端影を認識し、
前記原稿幅算出部が、前記認識された右端影の主走査方向の長さから原稿幅を算出し、
前記原稿長さ算出部が、前記認識された右端影の副走査方向の位置と、前記原稿台の左端の副走査方向の位置との距離から、前記原稿の副走査方向の長さである原稿長さを算出し、
前記原稿サイズ判定部が、前記算出された原稿幅と原稿長さとから、前記原稿台に載置された原稿のサイズを判定することを特徴とする請求項６に記載の画像読取装置。
【発明の詳細な説明】
【技術分野】
【０００１】
この発明は、画像読取装置に関し、特に、読み取るべき画像や文字等が記載された原稿用紙の大きさを検出する機能を有する画像読取装置に関する。
【背景技術】
【０００２】
複写機などの画像形成装置や、画像の読取専用の画像読取装置では、所定の原稿載置台に原稿を置き、画像や文字等が記載された原稿表面に光を照射して、CCDなどの撮像素子を利用して原稿の記載内容を読み取る機能を有している。また、原稿には、A4サイズやB5サイズ等さまざまな大きさの原稿が存在するので、原稿内容を読み取る前に、原稿の大きさを検知する機能を有している。
【０００３】
従来の原稿の大きさを検知する方法として、たとえば、原稿載置台の下方の所定の位置に、光の透過の有無によって原稿の有無および原稿のサイズを検出するフォトセンサが、１つまたは複数個配置されたものが利用されている。
また、特許文献１には、フォトセンサと、主走査方向に１列に連続して形成された複数のLEDとを備え、原稿の載置方向と、個々のLEDの点灯と消灯によって主走査方向にできる影の位置に基づいて、原稿の主走査方向のサイズを検知する原稿サイズ検知装置が提案されている。
【先行技術文献】
【特許文献】
【０００４】
【特許文献１】特開２０１０−２７６６３３号公報
【発明の概要】
【発明が解決しようとする課題】
【０００５】
しかし、従来の画像読取装置では、種々のサイズの用紙を検出するために、複数のフォトセンサを備えたものあるが、複数のフォトセンサを配置する位置を確保するために、機構が複雑になり、装置の小型化や低価格化が難しかった。
【０００６】
また、特許文献１では、個々のLEDを点灯または消灯させる必要があるので、LEDの点灯制御回路が複雑であり、コストアップとなると共に、検出できる原稿のサイズがA4などの定型サイズに限定されていた。
【０００７】
そこで、この発明は、以上のような事情を考慮してなされたものであり、原稿の大きさを検出するための特別な構成を備えることなく、原稿の記載内容を読み取る機能を実現するための構成を利用して原稿の大きさを検出することのできる画像読取装置を提供することを課題とする。
【課題を解決するための手段】
【０００８】
この発明は、原稿を載置する原稿台と、前記原稿台に載置された原稿を上から覆い押さえる原稿カバーと、前記原稿台の下部に配置され、前記原稿を読み取る光を、前記原稿カバーで覆われた原稿に向かって出射する光源と、前記光源を、副走査方向に移動させる走査制御部と、前記走査制御部によって光源を移動させているときに、前記原稿および原稿カバーによって反射された光を受光して、原稿および原稿の端部に形成された画像情報を読み取る画像読取部と、前記画像読取部により読み取られた画像情報から、原稿の端部に形成された影の副走査方向の位置および影の主走査方向の長さを認識する影認識部と、前記影の副走査方向の位置および影の主走査方向の長さを利用して、前記原稿の主走査方向の長さと副走査方向の長さとを判定する原稿サイズ判定部とを備えたことを特徴とする画像読取装置を提供するものである。
【０００９】
また、前記光源は、主走査方向に細長い１つまたは複数の発光部材であり、前記画像読取部は、主走査方向に細長い受光部材であり、前記光源が複数の発光部材からなる場合、複数の光源から出射される光の強度を異ならせて点灯させることによって、前記影認識部が、原稿の端部に形成された影の副走査方向の位置および影の主走査方向の長さを認識することを特徴とする。
【００１０】
また、前記光源が２つの発光部材からなる場合、光源は副走査方向に所定の距離だけ離して並行に配置されている左光源と右光源とからなり、前記左光源と右光源から出射される光の強度を異ならせることによって、前記原稿の左端または右端に影を形成させ、前記影認識部が、前記画像読取部により読み取られた画像情報に含まれる原稿の左端または右端に形成された影の副走査方向の位置および影の主走査方向の長さを認識することを特徴とする。
これによれば、影認識部が、画像読取部により読み取られた画像情報に含まれる原稿の左端または右端に形成された影の副走査方向の位置および影の主走査方向の長さを認識するので、原稿台に載置された定型原稿および不定型原稿の大きさを、原稿の大きさを検出するための特別な構成を備えることなく、容易に検出することができる。
【００１１】
また、前記光源が２つの発光部材からなる場合、前記左光源から出射される光の強度を、前記右光源から出射される光の強度よりも弱くした状態で、前記走査制御部が前記光源を移動させることによって、前記原稿の左端に左端影を形成させ、前記影認識部が、前記画像読取部により読み取られた画像情報に含まれる前記左端影の副走査方向の位置および左端影の主走査方向の長さを認識することを特徴とする。
これによれば、左端影の副走査方向の位置および左端影の主走査方向の長さを認識するので、この左端影の情報を利用することによって、少なくとも原稿台に載置された定型原稿の大きさを検出することができる。
【００１２】
また、前記光源が２つの発光部材からなる場合、前記左光源から出射される光の強度を、前記右光源から出射される光の強度よりも強くした状態で、前記走査制御部が前記光源を移動させることによって、前記原稿の右端に右端影を形成させ、前記影認識部が、前記画像読取部により読み取られた画像情報に含まれる前記右端影の副走査方向の位置および右端影の主走査方向の長さを認識することを特徴とする。
これによれば、右端影の副走査方向の位置および右端影の主走査方向の長さを認識するので、この右端影の情報を利用することによって、原稿台に載置された定型原稿あるいは不定型原稿の大きさを検出することが可能となる。
【００１３】
前記影認識部が認識した前記影の主走査方向の長さから、前記原稿の主走査方向の長さである原稿幅を算出する原稿幅算出部と、前記影認識部が認識した前記原稿の左端部に形成された左端影の副走査方向の位置と、前記原稿の右端部に形成された右端影の副走査方向の位置との距離から、前記原稿の副走査方向の長さである原稿長さを算出する原稿長さ算出部とを備え、前記原稿サイズ判定部が、前記算出された原稿幅と原稿長さとから、前記原稿台に載置された原稿のサイズを判定することを特徴とする。
これによれば、左端影と右端影を利用して算出された原稿幅と原稿長さとから、原稿台に載置された原稿のサイズを判定するので、定型原稿あるいは不定型原稿の大きさを検出することが可能となる。
【００１４】
また、所定の定型原稿のサイズを特定する原稿の主走査方向の長さと原稿の副走査方向の長さとからなる定型用紙情報を予め記憶した記憶部を備え、前記原稿台に載置された原稿が、前記定型原稿である場合、前記原稿幅算出部が、前記影認識部が認識した前記影の主走査方向の長さを、前記原稿の主走査方向の長さであると算出し、前記原稿長さ算出部が、前記記憶部に記憶された定型用紙情報を利用して、前記算出された原稿の主走査方向の長さと対応する原稿の副走査方向の長さを算出することにより、前記原稿台に載置された定型原稿のサイズを判定することを特徴とする。
【００１５】
また、前記光源が２つの発光部材からなる場合、前記左光源から出射される光の強度を、前記右光源から出射される光の強度よりも弱くした状態で、前記走査制御部が前記光源を移動させることによって、前記影認識部が前記原稿の左端に形成された左端影を認識し、前記原稿幅算出部が、前記認識された左端影の主走査方向の長さから原稿幅を算出した後、前記左光源から出射される光の強度を、前記右光源から出射される光の強度よりも強くした状態で、前記走査制御部が前記光源を原稿の下方を移動させることによって、前記画像読取部が原稿に記載された画像情報を読取り、前記光源を原稿の右端付近を移動させることによって、前記影認識部が前記原稿の右端に形成された右端影を認識した後、前記原稿長さ算出部が、前記認識された左端影の副走査方向の位置と、前記原稿の右端部に形成された右端影の副走査方向の位置との距離から、前記原稿の副走査方向の長さである原稿長さを算出し、前記原稿サイズ判定部が、前記算出された原稿幅と原稿長さとから、前記原稿台に載置された原稿のサイズを判定することを特徴とする。
これによれば、光源を移動させることにより、認識された左端影と右端影の情報から、原稿台に載置された原稿のサイズを判定するとともに、原稿に記載された画像情報を読取るので、１回の一方向への光源の走査をするだけで、原稿台に載置された定型または不定型の原稿に記載された画像情報を読取ることができ、原稿のサイズを判定するためだけに行う操作を行う必要がなく、迅速に原稿の画像情報の読取動作を完了することができる。
【００１６】
また、前記光源が２つの発光部材からなる場合、前記原稿を前記原稿台の左端によせて載置し、前記光源の初期位置を前記原稿の右端よりも右側の前記原稿台の右端によせて設定し、前記左光源から出射される光の強度を、前記右光源から出射される光の強度よりも強くした状態で、前記走査制御部が前記光源を左方向に移動させることによって、前記影認識部が前記原稿の右端に形成された右端影を認識し、前記原稿幅算出部が、前記認識された右端影の主走査方向の長さから原稿幅を算出し、前記原稿長さ算出部が、前記認識された右端影の副走査方向の位置と、前記原稿台の左端の副走査方向の位置との距離から、前記原稿の副走査方向の長さである原稿長さを算出し、前記原稿サイズ判定部が、前記算出された原稿幅と原稿長さとから、前記原稿台に載置された原稿のサイズを判定することを特徴とする。
これによれば、原稿を前記原稿台の左端によせて載置し、前記左光源から出射される光の強度を、前記右光源から出射される光の強度よりも強くした状態で、前記走査制御部が前記光源を左方向に移動させ、認識された右端影の情報を利用して、原稿台に載置された原稿のサイズを判定するので、右端影が認識された時点で、原稿台に載置された定型または不定型の原稿の判定をすることができ、迅速に原稿のサイズの判定処理を完了することができる。
【発明の効果】
【００１７】
この発明によれば、光源を移動させているときに、原稿および原稿カバーによって反射された光を受光して、原稿および原稿の端部に形成された画像情報を読み取り、この読み取られた画像情報から、原稿の端部に形成された影の副走査方向の位置および影の主走査方向の長さを認識し、影の位置および影の長さを利用して、前記原稿のサイズを判定するので、原稿の大きさを検出するための特別な構成を備えることなく、原稿の記載内容を読み取る機能を実現するための構成を利用して、定型原稿および不定型原稿の大きさを検出することができる。
【図面の簡単な説明】
【００１８】
【図１】この発明の画像読取装置の一実施例の概略構成図である。
【図２】この発明の画像読取装置の一実施例の概略斜視図である。
【図３】この発明の画像読取装置の一実施例の構成ブロック図である。
【図４】この発明の影検出による原稿サイズの判定処理の一実施例の説明図である。
【図５】この発明の影検出による原稿サイズの判定処理の一実施例の説明図である。
【図６】この発明の影検出による原稿サイズの判定処理の一実施例の説明図である。
【図７】この発明の影検出による原稿サイズの判定処理の一実施例の説明図である。
【図８】この発明の影検出による原稿サイズの判定処理の一実施例の説明図である。
【図９】この発明の影検出による原稿サイズの判定処理の一実施例の説明図である。
【図１０】この発明の影検出による原稿サイズの判定処理の一実施例の説明図である。
【図１１】この発明の影検出による原稿サイズの判定処理の一実施例の説明図である。
【図１２】この発明の原稿サイズの判定処理の実施例をまとめた説明図である。
【発明を実施するための形態】
【００１９】
以下、図面を使用して本発明の実施の形態を説明する。なお、以下の実施例の記載によって、この発明が限定されるものではない。
＜画像読取装置の構成＞
図１に、この発明の画像読取装置の一実施例の概略構成図を示す。
図２に、この発明の画像読取装置の一実施例の概略斜視図を示す。
図１（a）は、図２の画像読取装置を、正面方向から見た断面図である。
この発明の画像読取装置１は、主として、原稿台１０と、原稿カバー１１と、スキャナ部１２と、入力操作部２４を備えている。
スキャナ部１２は、原稿台１０の下部に配置され、走査ユニット２０と、レンズ１８と、画像読取部（CCD）１９と、走査ユニット２０を図２の矢印で示すY方向とその逆方向に移動させるための１対のガイド軸２１とを含む。
この発明の画像読取装置１は、原稿を読み取る機能のみを有する専用の読取装置のほか、画像形成装置、複合機、ファクシミリ、プリンター、釣銭機などの画像処理装置の一機能ブロックとして搭載してもよい。
【００２０】
原稿台１０は、原稿を載置する台であり、透明板（ガラス、樹脂等）によって構成され、原稿台１０の上に、原稿３０が、読み取りたい画像等の情報が記載された表面を下向きにして、載置される。
原稿カバー１１は、原稿台に載置された原稿を上から覆い押さえる板状部材であり、原稿台１０に対して開閉自在に設けられ、閉じられたときに、原稿台１０に載置された原稿３０を上方から覆う板状部材である。
スキャナ部１２は、原稿３０に記載された画像等の情報を読み取る部分であり、原稿３０が原稿台１０上に載置され原稿カバー１１にて覆われた状態で、原稿３０の画像情報を読み取る。
入力操作部２４は、画像読取装置の起動停止や、読取解像度などの設定入力を行う部分である。
【００２１】
走査ユニット２０は、一対のガイド軸２１に沿って、原稿台１０の下面を矢印Yの方向（図１及び図２の左から右方向）と、逆方向（図２の右から左方向）に移動可能に設けられている。走査ユニット２０は、走査制御部３３によって、副走査方向に移動させられる。
図２の矢印Yの方向を副走査方向と呼び、矢印Xの方向を主走査方向と呼び、矢印Xの主走査方向は、矢印Yの副走査方向と直行する方向である。
図１（a）に示すように、走査ユニット２０は、光源ユニット２０aと、反射ユニット２０bとからなる。
光源ユニット２０aは、原稿を読み取る光を出射する部分であり、光を照射する光源（１３、１４）と、原稿３０によって反射された光の光路を変更する第１ミラー１５とからなる。
光源（１３、１４）は、原稿台の下部に配置され、原稿を読み取る光を、原稿台１０上に載置され原稿カバーで覆われた原稿３０の方向（上方向）に向かって出射する。
【００２２】
光源（１３、１４）は、主走査方向に細長い１つまたは複数の発光部材である。
図１に示す光源（１３、１４）は、矢印Xの主走査方向に細長い２つの発光部材からなるものを示している。２つの発光部材は、副走査方向に所定の距離だけ離して並行に配置され、Y方向の左側に配置された左光源１３と、Y方向の右側に配置された右光源１４とからなる。
反射ユニット２０bは、光源から照射された光を、レンズ１８と画像読取部（以下、CCDとも呼ぶ）１９のある方向に導く部分であり、第２ミラー１６と第３ミラー１７とからなる。
【００２３】
図１（a）に示すように、原稿の読み取り動作をする場合、左光源１３と右光源１４とから上方向に出射された光は、原稿３０に当たって下方向に反射され、読取位置Pを通過した光は第１ミラー１５に当たり、第１ミラー１５によって第２ミラー１６の方向に反射され、第２ミラー１６によって第３ミラー１７の方向に反射され、第３ミラー１７によってレンズ１８方向に反射される。レンズ１８に入射した光は集光されて、CCD１９に受光される。
【００２４】
第１ミラー１５と反射ユニット２０bとによって、光源から照射された光が、CCD１９に受光されるように構成すればよく、ミラーの配置や枚数は、図１に示したものに限るものではない。また、原稿の読み取り動作をするとき、原稿表面全体を走査するために、走査ユニット２０は図１のY方向とその逆方向に移動されるが、その移動中にも、光がCCD１９に受光されるように、いくつかのミラーを備えればよい。
走査ユニット２０は、原則として、入力操作部２４が設けられた副走査方向の上流側である原稿台１０の始端側（図１の左側）をホームポジションとして往復移動する。
【００２５】
読取位置Ｐは、原稿３０による反射光を走査ユニット２０に取り込む位置であり、
２つの光源（１３、１４）は、読取位置Ｐを挟んで、それぞれ副走査方向の上流側と下流側とに分かれて配置する。図１（a）では、左光源１３が上流側に、右光源１４が下流側に配置されている。
また、図１および図２では、主として、原稿台１０の始端側（図１の左側）ある左端によせて原稿を載置するものとし、原稿の画像を読み取る場合は、走査ユニット２０を、副走査方向の上流側である原稿台１０の左端側から移動を開始し、下流側である右方向に向かって移動するものとする。
ただし、図１および図２の画像読取装置の構成は一実施例であり、原稿台１０の右端側（図１の右側）をホームポジションとして、走査ユニット２０を往復移動するようにしてもよい。この場合には、左右の関係が逆になり、原稿台１０の右端側が副走査方向の上流で、左端側が副走査方向の下流となる。
【００２６】
レンズ１８は、原稿からの反射光を、CCD１９の受光面に結像させるものであり、１枚のレンズまたは複数枚のレンズ群から構成される。
画像読取部（CCD）１９は、いわゆる固体撮像素子であり、CCDのほか、COMSデバイス等が用いられる。CCD１９は、矢印Xの主走査方向に細長い受光部材であり、複数個の撮像素子が一列に配置されている。
CCD１９は、走査制御部３３によって光源を移動させているときに、原稿および原稿カバーによって反射された光を受光して、原稿および原稿の端部に形成された画像情報を読み取る。
【００２７】
図１（b）に、２つの光源を、上方向から見た概略構成図を示す。ここで、図の左右方向が、図２の矢印Xの方向である。
１つの光源は、主として、２つのLEDと、LEDから発光された光を拡散させる導光路からなる。光源は、CCD１９と同様に、矢印Xの主走査方向に細長い素子である。
LEDは、可視光を照射する発光素子である。
導光路は、LEDから照射された可視光を反射する筒状部材であり、その上部に、光を外部に出射する開口部を有する。
たとえば、左光源１３は、矢印Xの主走査方向に細長く形成された左導光路13aと、左導光路13aの両端にそれぞれ配置された２つのLED（13b、13c）から構成され、右光源１４は、矢印Xの主走査方向に細長く形成された右導光路14aと、右導光路14aの両端にそれぞれ配置された２つのLED（14b、14c）から構成される。
【００２８】
図１（c）に、左光源１３を、水平方向から見た概略断面図を示す。ここで、図の左右方向が、図２の矢印Xの方向である。
左光源１３の２つのLED（13b、13c）から発光された光は、左導光路13aの表面によって反射され、左導光路13aの中央方向に進行し、上部の開口部から、読取位置Pの上方向にある原稿面に向かって出射される。
LEDは、消灯と全点灯に加えて、発光される光の強度が調整できるようにする。たとえば、全点灯した場合光の最大強度が30,000ルクス程度の明るさであり、５段階程度の光強度に調光できるように、点灯制御するものとする。あるいは、無段階で任意の強度に調光できるようにしてもよい。
【００２９】
また、この発明では、光源が複数の発光部材からなる場合、複数の光源から出射される光の強度を異ならせて点灯させることによって、後述する影認識部が、原稿の端部に形成された影の副走査方向の位置および影の主走査方向の長さを認識することを特徴とする。
特に、光源が２つの発光部材からなる場合、原稿サイズの判定をするために、２つの光源（左光源と右光源）から出射される光の強度を異ならせることによって、原稿の左端または右端に影を形成させる。
原稿の端部に光を照射する場合、２つの光源のうち、一方の光源の光の強度を、他方の光源の光の強度よりも強くする。
【００３０】
図１（d）と、図１（e）に、原稿の端部に光を照射した場合に出現する影の説明図を示す。
図１（d）は、原稿３０の左側端部、すなわち副走査方向の上流側の端部に、光を照射した場合を示している。
ここでは、左光源１３の光の強度を、右光源１４の光の強度よりも弱くする。すなわち、左光源１３を弱点灯し、右光源１４を強点灯する。
これにより、右光源１４から出射された光のほうが、左光源１３から出射された光よりも光の強度が強いので、右光源１４から出射された光が原稿表面まで進行し、原稿３０の左端部の近傍付近に、左端影S1が作られる。
【００３１】
原稿３０に反射された光は、反射ユニット等により反射されて、CCD１９に受光され、左端影S1の存在が認識される。左端影S1は、原稿３０の左端部の近傍にできるので、原稿３０の左端の位置が認識される。
また、光源は、図１（c）のように、矢印Xの主走査方向に細長い素子であるので、左端影S1も、矢印Xの主走査方向に細長い影として認識される。この左端影S1の主走査方向の長さは、原稿３０の主走査方向の幅Wとして認識される。
【００３２】
一方、左光源１３の光の強度と右光源１４の光の強度が同一の場合は、両光源から出射された光が打ち消し合って、左端影S1ができないので、原稿のサイズを検出するためには好ましくない。
左光源１３の光の強度と右光源１４の光の強度の差は、左端影S1の存在が認識できる程度の差とすればよいが、図１（d）の場合は、たとえば、左光源１３の光の強度：右光源１４の光の強度を、４：６、３：７、２：８あるいは、１：９のいずれかに設定すればよい。また、右光源１４を最大強度で点灯し、左光源１３を消灯してもよい。すなわち、左光源１３の光の強度：右光源１４の光の強度を、０：１０に設定してもよい。
【００３３】
図１（e）は、原稿３０の右側端部、すなわち副走査方向の下流側の端部に、光を照射した場合を示している。
ここでは、左光源１３の光の強度を、右光源１４の光の強度よりも強くする。すなわち、左光源１３を強点灯し、右光源１４を弱点灯する。図１（e）では、左光源１３を最大強度で点灯し、右光源１４を消灯した場合を示している。ただし、左光源１３の光の強度：右光源１４の光の強度を、１０：０の他に、６：４、７：３、８：２あるいは、９：１のいずれかに設定してもよい。
これにより、左光源１３から出射された光のほうが、右光源１４から出射された光よりも光の強度が強いので、左光源１３から出射された光が原稿表面まで進行し、原稿３０の右端部の近傍付近に、右端影S2が作られる。
【００３４】
原稿３０に反射された光は、反射ユニット等により反射されて、CCD１９に受光され、右端影S2の存在が認識される。右端影S2は、原稿３０の右端部の近傍にできるので、原稿３０の右端の位置が認識される。
また、光源は、矢印Xの主走査方向に細長い素子であるので、右端影S2も、矢印Xの主走査方向に細長い影として認識される。この右端影S2の主走査方向の長さは、原稿３０の主走査方向の幅Wとして認識される。
【００３５】
図３に、この発明の画像読取装置の一実施例の構成ブロック図を示す。
図３において、画像読取装置１は、主として、制御部３１、光照射部３２，走査ユニット２０、走査制御部３３、画像読取部１９、影認識部３４、入力操作部２４、原稿幅算出部３５、原稿長さ算出部３６、原稿サイズ判定部３７、記憶部４１を備える。
画像読取装置１の制御部３１は、光照射部３２などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の画像読取機能、影認識機能、原稿サイズ判定機能などを実行する。
【００３６】
光照射部３２は、原稿３０に光を照射する部分であり、上記した光源に相当し、左光源１３と、右光源１４とからなる。ただし、光源の数は、２つに限るものではなく、１つあるいは、３つ以上でもよい。
走査ユニット２０は、光照射部３２から照射され原稿によって反射された光を、画像読取部１９の方向に導く部材であり、上記したように、光源ユニット20aと反射ユニット20bとからなる。
走査制御部３３は、一対のガイド軸２１に沿って走査ユニット２０を移動させる部分であり、光照射部３２が移動することにより、光が当たる位置が変更され、原稿に記載された画像等の読取や、原稿の端部に形成される影の検出が行われる。
【００３７】
画像読取部１９は、上記したように、画像情報を取得する部分であり、CCDやCISなどのイメージセンサに相当する。CCDによって読み取られた画像は、電気的なデジタル信号に変換され、読取画像データ４３として記憶部４１に記憶される。影が発生している場合は、画像読取部１９によって、その影を含む読取画像データ４３が取得され、記憶部４１に記憶される。
【００３８】
影認識部３４は、読取画像データ４３に影が含まれるか否かを認識する部分であり、画像読取部１９により読み取られた画像情報から、原稿の端部（左端または右端）に形成された影の副走査方向の位置および影の主走査方向の長さを認識する。
影が含まれているか否かは、たとえば、読み取られた画像情報を、影に相当する所定の細長く黒い画像データとパターン照合することによって判断できる。
影は、図１(d) や図１(e)に示したように、原稿の左端あるいは右端に発生し、また後述する図４(c)に示すように、原稿の幅（主走査方向の長さ）に沿ってできる。したがって、読取画像データ４３の中に、主走査方向に細長い黒い長方形領域が存在する場合は、その長方形領域の位置に、影が存在すると認識できる。影が存在すると認識された場合、主走査方向の影の長さは、原稿の幅にほぼ等しいと判断される。
また、もし原稿表面に主走査方向に細長い黒い長方形領域が実際に記載されている場合、影と、原稿に記載された細長い黒い長方形領域とは、原稿先端の影（読取り開始位置で読み取った影）の主走査方向長さと合致するか否かによって、区別することができる。
【００３９】
特に、光源が２つの発光部材からなる場合、図１(d) に示したように、左光源１３から出射される光の強度を、右光源１４から出射される光の強度よりも弱くした状態で、走査制御部３３が光源を右方向に移動させることによって、原稿３０の左端に左端影S1を形成させる。これにより、影認識部３４が、画像読取部１９により読み取られた画像情報に含まれる左端影S1の副走査方向の位置および左端影S1の主走査方向の長さを認識する。
また、図１(e)に示したように、左光源１３から出射される光の強度を、右光源１４から出射される光の強度よりも強くした状態で、走査制御部３３が光源を左方向に移動させることによって、原稿３０の右端に右端影S2を形成させる。これにより、影認識部３４が、画像読取部１９により読み取られた画像情報に含まれる右端影S2の副走査方向の位置および右端影S2の主走査方向の長さを認識する。
【００４０】
入力操作部２４は、上記したように、画像読取装置を利用するユーザが、起動停止や、画像解像度などの設定項目の入力を行う部分であり、キーや、タッチパネルなどが用いられる。
原稿幅算出部３５は、原稿台に置かれた原稿用紙の幅（主走査方向の長さ）を算出する部分である。主として、影認識部３４が認識した影の主走査方向の長さを、原稿台に載置された原稿の主走査方向の長さである原稿幅Wとして算出する。
【００４１】
原稿長さ算出部３６は、原稿台に置かれた原稿用紙の長さ（副走査方向の長さ）を算出する部分である。原稿の副走査方向の長さ（原稿長さ）は、たとえば、原稿が定型用紙であれば、原稿幅算出部３５によって求められた原稿幅Wから推定することができる。
原稿が定型用紙であることがわかっている場合は、定型用紙の縦横の長さは規格で予め決まっているので、記憶部４１に定型用紙情報４２を予め記憶しておくことによって、ほとんどの場合、副走査方向の長さは、原稿幅Wから求めることができる。
【００４２】
また、操作ユニット２０を副走査方向に移動させることにより、認識された影の位置から、原稿の左端の位置と右端の位置が求められた場合は、原稿の左端から右端までの距離によって、原稿の副走査方向の長さを求めることができる。すなわち、前記影認識部３４が認識した前記原稿の左端部に形成された左端影の副走査方向の位置と、前記原稿の右端部に形成された右端影の副走査方向の位置との距離から、前記原稿の副走査方向の長さである原稿長さを算出する。これによれば、定型原稿の副走査方向の長さも、不定形原稿の副走査方向の長さも、求めることができる。
【００４３】
原稿サイズ判定部３７は、影の副走査方向の位置および影の主走査方向の長さを利用して、原稿台に置かれた原稿のサイズ（主走査方向の長さと副走査方向の長さ）を判定する部分である。また、上記のように算出された原稿幅と原稿長さとから、原稿のサイズを判定する。
たとえば、原稿幅算出部３５によって、主走査方向の長さが算出され、原稿長さ算出部３６によって、副走査方向の長さが算出された場合は、その主走査方向の長さと副走査方向の長さによって、原稿サイズが特定される。特に、不定形サイズの原稿用紙が原稿台に置かれた場合は、この方法によって、不定形サイズの用紙を特定できる。
また、原稿が定型用紙であることがわかっている場合は、上記したように、主走査方向の原稿幅Wが算出されれば、記憶部４１に予め記憶されている定型用紙情報４２を利用して、副走査方向の長さは、原稿幅Wに対応する長さとして求めることができるので、定形サイズの用紙を特定できる。
【００４４】
影認識部３４、原稿幅算出部３５、原稿長さ算出部３６、および原稿サイズ判定部３７の各機能は、CPUが、ROMなどに記憶されたプログラムに基づいて、ハードウエアを動作させることによって実現できる。
なお、この発明では、原稿サイズ検出するためのフォトセンサを備える必要はなく、フォトセンサを配置しないので、装置の小型化と低価格化を図ることができる。
【００４５】
記憶部４１は、画像読取装置１の各機能を実行するために必要な情報やプログラムを記憶部する部分であり、ＲＯＭ、ＲＡＭ、フラッシュメモリなどの半導体記憶素子、ＨＤＤ、ＳＳＤなどの記憶装置、その他の記憶媒体が用いられる。
記憶部４１には、たとえば、定型用紙情報４２、読取画像データ４３、影情報４４などが記憶される。
【００４６】
定型用紙情報４２は、所定の定型原稿のサイズを特定する情報であり、主として、原稿の主走査方向の長さと、原稿の副走査方向の長さとからなり、予め記憶しておく。
たとえば、定型用紙の規格名と、その定型用紙の縦の長さと、横の長さとを対応づけて、記憶したものである。A4の定型用紙の場合は、規格名がA4で、縦の長さが２９７ミリメートル、横の長さが２１０ミリメートルという情報が記憶される。A3やB4など他の規格の定型用紙も、同様に予め記憶しておけばよい。
上記したように、原稿台に載置された原稿が、定型原稿である場合、原稿幅算出部３５が、影認識部３４が認識した影の主走査方向の長さを、原稿の主走査方向の長さであると算出した後、原稿長さ算出部３６が、記憶部４１に記憶された定型用紙情報を利用して、算出された原稿の主走査方向の長さと対応する原稿の副走査方向の長さを算出することにより、原稿台に載置された定型原稿のサイズを判定する
【００４７】
読取画像データ４３は、上記したように、画像読取部１９によって取得された画像データである。取得された画像の位置は、原稿台に置かれた原稿に記載された画像の位置と対応し、また、取得された画像から、読取画像データに含まれる影の位置も把握することができる。
影情報４４は、影認識部３４によって認識された影の情報であり、主として、影の位置情報と、主走査方向の長さからなる。この影情報４４を利用して、原稿のサイズが判定される。
【００４８】
＜影検出による原稿サイズの判定処理の実施例＞
以下に、原稿の端部近傍にできる影を検出することにより、原稿サイズを判定する処理の実施例をいくつか示す。
これらの判定処理を用いれば、原稿の大きさを検出するための専用のフォトセンサなど特別な構成を備えることなく、原稿の画像を読み取るのに必要な構成を利用して、原稿の大きさを検出することができる。
【００４９】
（実施例１）
図４に、この発明の影検出による原稿サイズの判定処理の一実施例の説明図を示す。
図４(a)と図４(b)は、図１(a)と同様に、装置を正面方向から見た概略断面図であり、図４(c)は、装置を上方向から見た概略平面図である。図４では、説明に必要な構成のみを図示している。
ここで、図４(c)に示すように、原稿３０は、原稿台１０の左端によせて、原稿台１０の左端のガイドラインと上端のガイドラインに沿って、原稿台の上に載置されるものとする。また、図４(a)に示すように、原稿カバー１１を閉じ、原稿３０を上から押さえるものとする。
【００５０】
この実施例１では、走査ユニット２０の光源（１３、１４）の初期位置を、原稿の右端よりも右側の原稿台１０の右端によせて設定する。たとえば、入力操作部２４によって、ユーザが読取の開始入力をした場合、走査制御部３３が、走査ユニット２０を、原稿台１０の右端まで移動させる。
この場合、図４(a) に示すように、２つの光源（１３，１４）は、原稿３０の右端よりも右側にあるものとし、２つの光源の上には、原稿３０はないものとする。
まず、図４(a)において、左光源から出射される光の強度を、右光源から出射される光の強度よりも強くした状態で、走査制御部３３が前記光源を左方向に移動させる。
すなわち、左光源１３を強点灯し、右光源１４を弱点灯した後、走査ユニット２０を、副走査方向の左方向に移動させることにより、影認識部３４が原稿の右端に形成された右端影を認識する。
たとえば、左光源１３と右光源１４の光の強度を、７：３とする。２つの光源の上に原稿がない状態では、影はできない。
【００５１】
次に、図４(b)において、走査ユニット２０が左方向に移動し、左光源１３が、原稿３０の右端よりも左側の位置まで移動してきたとする。
このとき、左光源１３から出射された光のほうが、右光源１４から出射された光よりも強い強度なので、図４(b)、図４(c)に示すように、右端影S2が、原稿３０の右端の右側にできる。図４(c)に示すように、右端影S2は、原稿３０の右端全体に沿って、細長い長方形であり、右端影S2の主走査方向の長さは、原稿３０幅Wにほぼ等しい。
この右端影S2は、画像読取部１９により読取画像データの一部として取得され、影認識部３４によって、影として認識される。また、走査ユニット２０の位置や移動方向などから、Y方向の影の位置と、影の主走査方向の長さが求められ、右端影S2であると認識される。Y方向の影の位置は、原稿３０の右端の位置にほぼ等しい。
右端影S2が認識された場合、走査ユニット２０の移動を停止してもよい。
【００５２】
上記したように、右端影S2の主走査方向の長さは、原稿幅Wにほぼ等しいので、まず、原稿幅算出部３５が、認識された右端影の主走査方向の長さから、原稿幅Wを算出する。
また、原稿３０は、原稿台１０の左端と上端のガイドラインに沿って置かれているので、原稿３０の左端の副走査方向の位置は、原稿台１０の左端のガイドラインの位置にほぼ等しい。
したがって、原稿長さ算出部３６が、認識された右端影S2の副走査方向の位置と、原稿台１０の左端の副走査方向の位置（左端のガイドラインの位置）との距離（差）から、原稿３０の副走査方向の長さである原稿長さLを算出する。
【００５３】
以上の処理により、原稿幅Wと副走査方向の長さ（原稿長さL）とが算出されるので、原稿台１０に載置された原稿のサイズが判定される。
この原稿サイズの判定処理では、A４などの定型原稿でも、不定型原稿でも、その大きさを判定できる。
また、右端影S2が認識された場合に、走査ユニット２０の移動を停止してもよいので、原稿全体をスキャンするいわゆるプレスキャンをする必要がなく、比較的早く、実際の画像読取走査を開始することができる。
【００５４】
さらに、右端影S2が認識された場合、原稿右端の位置がわかったので、左光源１３の位置を原稿右端の下まで戻すように、走査ユニット２０を右方向にわずかに移動させた後、左光源１３と右光源１４とを原稿の画像を読み取るレベルの光の強度に設定して、再度、走査ユニット２０を左方向に原稿台１０の左端のガイドラインの位置まで移動して、原稿の画像を実際に読み取る動作をしてもよい。これによれば、プレスキャンをすることなく、ユーザがスキャン開始操作をすることにより、原稿のサイズの判定と、原稿画像の実際の読み取りを、迅速に実行することができる。
【００５５】
（実施例２）
図５に、この発明の影検出による原稿サイズの判定処理の一実施例の説明図を示す。
図５(a)と図５(b)は、図１(a)と同様に、装置を正面方向から見た概略断面図であり、図５(c)は、装置を上方向から見た概略平面図である。図５でも、説明に必要な構成のみを図示している。
また、図５(c)に示すように、原稿３０は、原稿台１０の上端のガイドラインに沿わせるが、左端のガイドラインと原稿の左端との間にわずかな空間をあけて、原稿台の上に置かれるものとする。
原稿３０は、定型サイズの用紙とする。また、図５(a)に示すように、原稿カバー１１を閉じ、原稿３０を上から押さえるものとする。
この実施例２では、左端のガイドラインと原稿の左端との間の空間に、発生する影を検出して、定型用紙の原稿サイズを特定する。
【００５６】
この実施例２では、走査ユニット２０の初期位置を、原稿台１０の左端に設定する。たとえば、入力操作部２４によって、ユーザが読取の開始入力をした場合、走査制御部３３が、走査ユニット２０を、原稿台１０の左端に移動させる。
この場合、図５(a) に示すように、２つの光源（１３，１４）は、原稿３０の左端よりも左側にあるものとし、２つの光源の上には、原稿３０はないものとする。
まず、図５(a)の状態で、左光源１３を弱点灯し、右光源１４を強点灯した後、走査ユニット２０を、副走査方向の右方向に移動させる。たとえば、左光源１３と右光源１４の光の強度を、４：６とする。２つの光源の上に原稿がない状態では、影はできない。
【００５７】
次に、図５(b)において、走査ユニット２０が右方向に移動し、右光源１４が、原稿３０の左端よりも右側の位置まで移動してきたとする。
このとき、右光源１４から出射された光のほうが、左光源１３から出射された光よりも強い強度なので、図５(b)、図５(c)に示すように、左端影S1が、原稿３０の左端の左側にできる。図５(c)に示すように、左端影S1は、原稿３０の左端全体に沿って、細長い長方形であり、左端影S1の主走査方向の長さは、原稿３０幅Wにほぼ等しい。
この左端影S1は、画像読取部１９により読取画像データの一部として取得され、影認識部３４によって、影として認識される。また、走査ユニット２０の位置や移動方向などから、Y方向の影の位置と、影の主走査方向の長さが求められ、左端影S1であると認識される。Y方向の影の位置は、原稿３０の左端の位置にほぼ等しい。
左端影S1が認識された場合、走査ユニット２０の移動を停止してもよい。
【００５８】
上記したように、左端影S1の主走査方向の長さは、原稿幅Wにほぼ等しいので、まず、原稿幅Wが算出される。
原稿３０の副走査方向の長さ（原稿長さL）は、記憶部４１に記憶された定型用紙情報４２を利用して、原稿幅Wに対応する長さとして記憶されている情報から、取得する。
以上の処理により、原稿幅Wと副走査方向の長さ（原稿長さL）が算出されるので、原稿台１０に置かれた定型原稿のサイズが特定される。
この原稿サイズの判定処理では、A４などの定型原稿の大きさを判定できる。
また、左端影S1が認識された場合に、走査ユニット２０の移動を停止してもよいので、原稿全体をスキャンするいわゆるプレスキャンをする必要がなく、比較的早く、実際の画像読取走査を開始することができる。
【００５９】
さらに、左端影S1が認識された場合、左端影S1の位置から、原稿の左端の位置がほぼわかるので、右光源１４の位置を原稿左端の下まで戻すように、走査ユニット２０を左方向にわずかに移動させた後、左光源１３と右光源１４とを原稿の画像を読み取るレベルの光の強度に設定して、原稿の画像を実際に読み取りながら、走査ユニット２０を右方向に移動させ、原稿の副走査方向の長さ（原稿長さL）に相当する距離だけ移動させた後、停止させてもよい。
これによれば、プレスキャンをすることなく、ユーザがスキャン開始操作をすることにより、定型用紙の原稿のサイズの判定と、原稿画像の実際の読み取りを、迅速に実行することができる。
【００６０】
（実施例３）
図６に、この発明の影検出による原稿サイズの判定処理の一実施例の説明図を示す。
図６(a)から図６(d)は、図１(a)と同様に、装置を正面方向から見た概略断面図である。図６でも、説明に必要な構成のみを図示している。
ここでは、原稿３０は、原稿台１０の左端と上端のガイドラインに沿って置いてもよいが、原稿台１０の左端と上端のガイドラインに沿って置かなくてもよい。
ただし、左端影S1を検出するためには、原稿３０と原稿台１０の左端のガイドラインとの間にいくらかのすき間をあけて置くことが好ましい。
また、原稿３０を、原稿台１０の左端と上端のガイドラインとの間にすき間をあけて置く場合は、原稿３０の左端の短辺と原稿台１０の左端とがほぼ平行になり、原稿３０の上部の長辺と上端のガイドラインとがほぼ平行になるように、原稿台の上に置かれるものとする。原稿３０は、定型の用紙でも、不定型の用紙でもよい。
また、図６(a)に示すように、原稿カバー１１を閉じ、原稿３０を上から押さえるものとする。
【００６１】
この実施例３では、走査ユニット２０の初期位置を、原稿台１０の右端に設定する。たとえば、入力操作部２４によって、ユーザが読取の開始入力をした場合、走査制御部３３が、走査ユニット２０を、原稿台１０の右端まで移動させる。
この場合、図６(a) に示すように、２つの光源（１３，１４）は、原稿３０の右端よりも右側にあるものとし、２つの光源の上には、原稿３０はないものとする。
まず、図６(a)の状態で、左光源１３を強点灯し、右光源１４を弱点灯した後、走査ユニット２０を、副走査方向の左方向に移動させる。たとえば、左光源１３と右光源１４の光の強度を、７：３とする。２つの光源の上に原稿がない状態では、影はできない。
【００６２】
次に、図６(b)において、走査ユニット２０が左方向に移動し、左光源１３が、原稿３０の右端よりも左側の位置まで移動してきたとする。
このとき、左光源１３から出射された光のほうが、右光源１４から出射された光よりも強い強度なので、図６(b)に示すように、右端影S2が、原稿３０の右端の右側にできる。
右端影S2は、原稿３０の右端全体に沿って、細長い長方形であり、右端影S2の主走査方向の長さは、原稿３０幅Wにほぼ等しい。
この右端影S2は、画像読取部１９により読取画像データの一部として取得され、影認識部３４によって、影として認識される。また、走査ユニット２０の位置や移動方向などから、Y方向の影の位置と、影の主走査方向の長さが求められ、右端影S2であると認識される。Y方向の影の位置は、原稿３０の右端の位置にほぼ等しいので、右端影S2の位置を、原稿３０の右端の位置として一時記憶しておく。
【００６３】
図６(b)において、右端影S2を認識した後、光源の光の強度を逆に切替える。すなわち、左光源１３を弱点灯し、右光源１４を強点灯させる。たとえば、左光源１３と右光源１４の光の強度を、３：７とする。その後、走査ユニット２０の左方向に移動を継続する。
図６(c)は、走査ユニット２０を左方向に移動している途中の状態を示している。
２つの光源が、原稿の下にある場合は、影ができないのでそのまま、左方向に移動する。ただし、移動した距離は、把握しておく。
【００６４】
走査ユニット２０の左方向への移動が、さらに進行すると、図６(d)に示すような状態となる。すなわち、左光源１３が原稿３０の左端よりも左側の位置にあり、右光源１４が、原稿３０の左端よりも右側の位置まで移動してきたとする。
このとき、右光源１４から出射された光のほうが、左光源１３から出射された光よりも強い強度なので、図６(d)に示すように、左端影S1が、原稿３０の左端の左側にできる。左端影S1は、原稿３０の左端全体に沿って、細長い長方形であり、左端影S1の主走査方向の長さは、原稿３０幅Wにほぼ等しい。
【００６５】
左端影S1が認識された場合、走査ユニット２０の移動距離から、左端影S1の位置が分かる。その左端影S1が認識された位置は、原稿の左端の位置にほぼ等しいので、一時記憶しておいた右端影S2の位置と、左端影S1が認識された位置との差から、原稿３０の副走査方向の長さ（原稿長さL１）が、測定できる。
すなわち、右端影S2が認識された位置から、左端影S1が認識された位置までの移動距離L1を、原稿３０の副走査方向の長さとすればよい。
左端影S1が認識された場合は、走査ユニット２０の移動を停止してもよい。
【００６６】
以上の処理により、原稿幅Wと副走査方向の長さ（原稿長さL1）が算出されるので、原稿台１０に置かれた原稿のサイズが特定される。
この原稿サイズの判定処理では、A４などの定型原稿でも、不定型原稿でも、その大きさを判定できる。
さらに、原稿幅Wと副走査方向の長さ（原稿長さL1）に加えて、右端影S2の位置から、原稿の右端の位置がほぼ特定でき、左端影S1の位置から、原稿の左端の位置がほぼ特定できる。したがって、原稿台に対する原稿が置かれた相対位置がわかるので、原稿が原稿台１０の左端と上端のガイドラインに沿って置かれていなくても、次に実際の原稿の読み取りをする場合、原稿台のどの領域の画像を原稿に記載された情報として取り込めばよいかがわかる。
【００６７】
（実施例４）
図７に、この発明の影検出による原稿サイズの判定処理の一実施例の説明図を示す。
図７(a)から図７(d)は、図１(a)と同様に、装置を正面方向から見た概略断面図である。図７でも、説明に必要な構成のみを図示している。
また、図７(a)に示すように、原稿３０は、原稿台１０の左端と上端のガイドラインに沿わせて、原稿台の上に置かれるものとする。図７(a)では、原稿台１０の左端のガイドライン10aに原稿３０の左端を沿わせていることを示している。
原稿３０は、定型サイズの用紙、または不定形サイズの用紙のどちらでもよい。
また、図７(a)に示すように、原稿カバー１１を閉じ、原稿３０を上から押さえるものとする。
この実施例４では、右端影S2の位置を検出して、原稿幅Wと副走査方向の長さ（原稿長さL1）を算出して、定型用紙あるいは不定形サイズの用紙の原稿サイズを特定する。
【００６８】
この実施例４では、走査ユニット２０の初期位置を、原稿台１０の左端に設定する。たとえば、入力操作部２４によって、ユーザが読取の開始入力をした場合、走査制御部３３が、走査ユニット２０を、原稿台１０の左端に移動させておく。
次に、左光源１３を弱点灯し、右光源１４を強点灯した後、走査ユニット２０を、副走査方向の右方向に移動させる。たとえば、左光源１３と右光源１４の光の強度を、４：６とする。
【００６９】
右方向に少し移動すると、図７(a) に示す状態となる。図７(a)では、左光源１３の位置は原稿台１０の左端のガイドライン10aの右端の位置よりも左側で、右光源１４の位置は原稿台１０の左端のガイドライン10aの右端の位置よりも右側とする。
しかし、原稿３０の左端が、原稿台１０の左端のガイドライン10aにぴったり沿っているとすると、影ができない。
左端影S1が検出された場合は、左端影S1の位置から原稿の左端の位置が算出できたが、この場合は、影ができないので、影から原稿の左端の位置や、原稿３０幅Wを算出することはできない。
【００７０】
ただし、図７(a)に示すように、左端影S1が検出できそうな位置まで移動しても影が検出できない場合は、原稿３０の左端が原稿台１０の左端のガイドライン10aにぴったり沿っていると判断できる。そこで、原稿台１０の左端のガイドライン10aの位置を、原稿の左端の位置として、一時記憶しておく。
【００７１】
図７(a)の状態で、光源の光の強度を切り替える。
すなわち、図７(b)に示すように、左光源１３を強点灯し、右光源１４を弱点灯した後、走査ユニット２０を、副走査方向の右方向に移動させる。たとえば、左光源１３と右光源１４の光の強度を、６：４とする。
図７(c)は、走査ユニット２０を、副走査方向の右方向に移動している途中の状態を示している。２つの光源の上に原稿がある状態では、影はできないので、そのまま移動する。ただし、移動距離L1を、把握しておく。
【００７２】
次に、図７(d)において、走査ユニット２０が右方向に移動し、右光源１４が、原稿３０の右端よりも右側の位置まで移動してきたとする。
このとき、左光源１３から出射された光のほうが、右光源１４から出射された光よりも強い強度なので、図７(d)に示すように、右端影S2が、原稿３０の右端の右側にできる。右端影S2は、原稿３０の右端全体に沿って、細長い長方形であり、右端影S2の主走査方向の長さは、原稿３０幅Wにほぼ等しい。
この右端影S2は、画像読取部１９により読取画像データの一部として取得され、影認識部３４によって、影として認識される。また、走査ユニット２０の位置や移動方向などから、Y方向の影の位置と、影の主走査方向の長さが求められ、右端影S2であると認識される。Y方向の影の位置は、原稿３０の右端の位置にほぼ等しい。
【００７３】
右端影S2が認識された場合、走査ユニット２０の移動距離L１から、右端影S2の位置が分かる。その右端影S2が認識された位置は、原稿の右端の位置にほぼ等しいので、一時記憶しておいた原稿台１０の左端のガイドライン10aの位置と、右端影S2が認識された位置との差から、原稿３０の副走査方向の長さ（原稿長さL１）が、測定できる。
すなわち、原稿台１０の左端のガイドライン10aの位置から、右端影S2が認識された位置までの移動距離L1を、原稿３０の副走査方向の長さ（原稿長さL１）とすればよい。
右端影S2が認識された場合は、走査ユニット２０の移動を停止してもよい。
以上の処理により、原稿幅Wと副走査方向の長さ（原稿長さL1）が算出されるので、原稿台１０に置かれた原稿のサイズが特定される。
この原稿サイズの判定処理では、A４などの定型原稿でも、不定型原稿でも、その大きさを判定できる。
【００７４】
（実施例５）
図８に、この発明の影検出による原稿サイズの判定処理の一実施例の説明図を示す。
図８(a)から図８(d)は、図１(a)と同様に、装置を正面方向から見た概略断面図である。図８でも、説明に必要な構成のみを図示している。
ここでは、原稿３０は、原稿台１０の左端のガイドラインとの間にいくらかのすき間をあけて置く。原稿台１０の上端のガイドラインに対しては、原稿を、上端のガイドラインに沿って置いてもよいが、原稿台１０の上端のガイドラインに沿って置かずに、すき間をあけて置いてもよい。
ただし、原稿３０を、原稿台１０の左端と上端のガイドラインとの間にすき間をあけて置く場合は、原稿３０の左端の短辺と原稿台１０の左端とがほぼ平行になり、原稿３０の上部の長辺と上端のガイドラインとがほぼ平行になるように、原稿台の上に置かれるものとする。
【００７５】
原稿３０は、定型サイズの用紙、または不定形サイズの用紙のどちらでもよい。
また、図８(a)に示すように、原稿カバー１１を閉じ、原稿３０を上から押さえるものとする。
この実施例５では、左端影S1と右端影S2の位置を検出して、原稿幅Wと副走査方向の長さ（原稿長さL1）を算出して、定型用紙あるいは不定形サイズの用紙の原稿サイズを特定する。また、左端影S1の位置を検出した後、原稿の直下を移動中は、原稿に記載された画像等の実際の読取を行う。
ただし、原稿の直下を移動中において、２つの光源の強度を異ならせるが、２つの光源から出射された光の合計強度によって、原稿に記載された画像等の実際の読取が、確実に行われるように、２つの光源から出射される光の強度を設定する。
【００７６】
この実施例５では、走査ユニット２０の初期位置を、原稿台１０の左端に設定する。たとえば、入力操作部２４によって、ユーザが読取の開始入力をした場合、走査制御部３３が、走査ユニット２０を、原稿台１０の左端に移動させておく。
次に、左光源１３を弱点灯し、右光源１４を強点灯した後、走査ユニット２０を、副走査方向の右方向に移動させる。たとえば、左光源１３と右光源１４の光の強度を、３：７とする。
すなわち、左光源１３から出射される光の強度を、右光源１４から出射される光の強度よりも弱くした状態で、走査制御部３３が光源を右方向に移動させる。これによって、影認識部３４が原稿３０の左端に形成された左端影S1を認識する。
【００７７】
図８(a)に示すように、走査ユニット２０が右方向に移動し、右光源１４が、原稿３０の左端よりも右側の位置まで移動してきたとする。
このとき、右光源１４から出射された光のほうが、左光源１３から出射された光よりも強い強度なので、図８(a)に示すように、左端影S1が、原稿３０の左端の左側にできる。左端影S1は、原稿３０の左端全体に沿って、細長い長方形であり、左端影S1の主走査方向の長さは、原稿３０の幅Wにほぼ等しい。ここで、原稿幅算出部３５が、認識された左端影S1の主走査方向の長さから原稿幅Wを算出する。
この左端影S1は、画像読取部１９により読取画像データの一部として取得され、影認識部３４によって、影として認識される。また、走査ユニット２０の位置や移動方向などから、Y方向の影の位置と、影の主走査方向の長さが求められ、左端影S1であると認識される。Y方向の影の位置は、原稿３０の左端の位置にほぼ等しい。そこで、Y方向の影の位置を、原稿の左端の位置として、一時記憶しておく。
また、左端影S1の主走査方向の長さは、原稿幅Wにほぼ等しいので、原稿幅Wが算出される。
【００７８】
図８(a)の状態で、左端影S1が認識された後、光源の光の強度を切り替える。
前記左光源から出射される光の強度を、前記右光源から出射される光の強度よりも強くした状態とする。すなわち、図８(b)に示すように、左光源１３を強点灯し、右光源１４を弱点灯する。
その後、前記走査制御部３３が、走査ユニット２０を、副走査方向の右方向に移動させ、原稿に記載された画像等の実際の読取を開始する。これにより、前記光源が原稿の下方を右方向に移動することにより、画像読取部１９が原稿に記載された画像情報を読取る。
たとえば、左光源１３と右光源１４の光の強度を、６：４とする。また、２つの光源から出射された光の合計強度によって、原稿に記載された画像等の実際の読取が、確実に行われるように、２つの光源から出射される光の強度を設定する。
【００７９】
図８(c)は、走査ユニット２０を、副走査方向の右方向に移動している途中の状態を示している。原稿に記載された画像等の実際の読取と、右方向への移動を継続する。
読み取った画像は、読取画像データ４３として、記憶部４１に記憶する。
図８(c)のように、２つの光源の上に原稿がある状態では、影はできないので、そのまま移動する。ただし、移動距離L1を、把握しておく。
【００８０】
次に、図８(d)において、走査ユニット２０が右方向に移動し、右光源１４が、原稿３０の右端よりも右側の位置まで移動してきたとする。
このとき、左光源１３から出射された光のほうが、右光源１４から出射された光よりも強い強度なので、図８(d)に示すように、右端影S2が、原稿３０の右端の右側にできる。すなわち、光源を原稿の右端付近にまで右方向に移動させることによって、影認識部３４が、原稿３０の右端に形成された右端影S2を認識する。
右端影S2は、原稿３０の右端全体に沿って、細長い長方形であり、右端影S2の主走査方向の長さは、原稿３０幅Wにほぼ等しい。
この右端影S2は、画像読取部１９により読取画像データの一部として取得され、影認識部３４によって、影として認識される。また、走査ユニット２０の位置や移動方向などから、Y方向の影の位置と、影の主走査方向の長さが求められ、右端影S2であると認識される。Y方向の影の位置は、原稿３０の右端の位置にほぼ等しい。
右端影S2の存在が認識された後、原稿に記載された画像等の実際の読取動作を終了する。
【００８１】
右端影S2が認識された場合、走査ユニット２０の移動距離L１から、右端影S2の位置が分かる。その右端影S2が認識された位置は、原稿の右端の位置にほぼ等しいので、一時記憶しておいた原稿の左端の位置と、右端影S2が認識された位置との差から、原稿３０の副走査方向の長さ（原稿長さL１）が、測定できる。
すなわち、原稿長さ算出部３６が、認識された左端影S1の副走査方向の位置と、原稿の右端部に形成された右端影S2の副走査方向の位置との距離から、原稿の副走査方向の長さである原稿長さL1を算出する。言いかえれば、原稿の左端の位置から、右端影S2が認識された位置までの移動距離L1を、原稿３０の副走査方向の長さ（原稿長さL１）とすればよい。
右端影S2が認識された場合は、走査ユニット２０の移動を停止する。
【００８２】
以上の処理により、原稿幅Wと副走査方向の長さ（原稿長さL1）が算出されるので、原稿台１０に置かれた原稿のサイズが特定される。また、走査ユニット２０の移動中に、原稿に記載された画像等の実際の読取動作を行ったので、特定されたサイズの原稿に記載された画像の実際の読取も、原稿のサイズの特定とほぼ同時に行われる。
この原稿サイズの判定処理では、原稿幅Wと原稿長さL１とが、実際に測定されるので、A４などの定型原稿でも、不定型原稿でも、その大きさを判定でき、かつ、再度画像を読取る走査をしなくても、そのサイズの用紙に記載された画像を読取ることができる。
【００８３】
（実施例６）
図９(a)に、この発明の影検出による原稿サイズの判定処理の一実施例の説明図を示す。
図９(a)は、図１(a)と同様に、装置を正面方向から見た概略断面図である。ここでも、説明に必要な構成のみを図示している。
また、原稿３０は、原稿台１０の上端のガイドラインに沿わせるが、左端のガイドラインと原稿の左端との間にわずかな空間をあけて、原稿台の上に置かれるものとする。
原稿３０は、定型サイズの用紙とする。また、図９(a)に示すように、原稿カバー１１を閉じ、原稿３０を上から押さえるものとする。
この実施例６では、２つの光源のうち、右光源１４のみを点灯して、左端のガイドラインと原稿の左端との間の空間に、発生する左端影を検出して、定型用紙の原稿サイズを特定する。
【００８４】
この実施例６では、走査ユニット２０の初期位置を、原稿台１０の左端に設定する。たとえば、入力操作部２４によって、ユーザが読取の開始入力をした場合、走査制御部３３が、走査ユニット２０を、原稿台１０の左端に移動させる。
図９(a)に示すように、左光源１３を消灯し、右光源１４を点灯した後、走査ユニット２０を、副走査方向の右方向に移動させる。
この実施例では、左光源１３と右光源１４の光の強度は、０：１０に相当する。
２つの光源の上に原稿がない状態では、影はできないが、走査ユニット２０が右方向に移動し、右光源１４が、原稿３０の左端よりも右側の位置まで移動してきたとする。
このとき、右光源１４から出射された光によって、図９(a)に示すように、左端影S1が、原稿３０の左端の左側にできる。
【００８５】
左端影S1は、原稿３０の左端全体に沿って、細長い長方形であり、左端影S1の主走査方向の長さは、原稿３０幅Wにほぼ等しい。
この左端影S1は、画像読取部１９により読取画像データの一部として取得され、影認識部３４によって、影として認識される。また、走査ユニット２０の位置や移動方向などから、Y方向の影の位置と、影の主走査方向の長さが求められ、左端影S1であると認識される。Y方向の影の位置は、原稿３０の左端の位置にほぼ等しい。
左端影S1が認識された場合、走査ユニット２０の移動を停止してもよい。
【００８６】
上記したように、左端影S1の主走査方向の長さは、原稿幅Wにほぼ等しいので、まず、原稿幅Wが算出される。
原稿３０の副走査方向の長さ（原稿長さL）は、記憶部４１に記憶された定型用紙情報４２を利用して、原稿幅Wに対応する長さとして記憶されている情報から、取得する。
以上の処理により、原稿幅Wと副走査方向の長さ（原稿長さL）が算出されるので、原稿台１０に置かれた定型原稿のサイズが特定される。
この原稿サイズの判定処理では、A４などの定型原稿の大きさを判定できる。
また、左端影S1が認識された場合に、走査ユニット２０の移動を停止してもよいので、原稿全体をスキャンするいわゆるプレスキャンをする必要がなく、比較的早く、実際の画像読取走査を開始することができる。
【００８７】
さらに、左端影S1が認識された場合、左端影S1の位置から、原稿の左端の位置がほぼわかるので、右光源１４の位置を原稿左端の下まで戻すように、走査ユニット２０を左方向にわずかに移動させた後、左光源１３と右光源１４とを原稿の画像を読み取るレベルの光の強度に設定して、原稿の画像を実際に読み取りながら、走査ユニット２０を右方向に移動させ、原稿の副走査方向の長さ（原稿長さL）に相当する距離だけ移動させた後、停止させてもよい。
これによれば、プレスキャンをすることなく、ユーザがスキャン開始操作をすることにより、定型用紙の原稿のサイズの判定と、原稿画像の実際の読み取りを、迅速に実行することができる。
【００８８】
（実施例７）
図９(b)に、この発明の影検出による原稿サイズの判定処理の一実施例の説明図を示す。
図９(b)は、図１(a)と同様に、装置を正面方向から見た概略断面図である。ここでも、説明に必要な構成のみを図示している。
原稿３０は、定型サイズの用紙とする。また、図９(b)に示すように、原稿カバー１１を閉じ、原稿３０を上から押さえるものとする。
この実施例７では、２つの光源のうち、左光源１３のみを点灯して、原稿の右端の右側に発生する右端影を検出して、定型用紙の原稿サイズを特定する。
【００８９】
この実施例７では、走査ユニット２０の初期位置を、原稿台１０の右端に設定する。たとえば、入力操作部２４によって、ユーザが読取の開始入力をした場合、走査制御部３３が、走査ユニット２０を、原稿台１０の右端に移動させる。
図９(b)に示すように、左光源１３を点灯し、右光源１４を消灯した後、走査ユニット２０を、副走査方向の左方向に移動させる。
この実施例では、左光源１３と右光源１４の光の強度は、１０：０に相当する。
２つの光源の上に原稿がない状態では、影はできないが、走査ユニット２０が左方向に移動し、左光源１３が、原稿３０の右端よりも左側の位置まで移動してきたとする。
このとき、左光源１３から出射された光によって、図９(b)に示すように、右端影S2が、原稿３０の右端の右側にできる。
【００９０】
右端影S2は、原稿３０の右端全体に沿って、細長い長方形であり、右端影S2の主走査方向の長さは、原稿３０幅Wにほぼ等しい。
この右端影S2は、画像読取部１９により読取画像データの一部として取得され、影認識部３４によって、影として認識される。また、走査ユニット２０の位置や移動方向などから、Y方向の影の位置と、影の主走査方向の長さが求められ、右端影S2であると認識される。Y方向の影の位置は、原稿３０の右端の位置にほぼ等しい。
右端影S2が認識された場合、走査ユニット２０の移動を停止してもよい。
【００９１】
上記したように、右端影S2の主走査方向の長さは、原稿幅Wにほぼ等しいので、まず、原稿幅Wが算出される。
原稿３０の副走査方向の長さ（原稿長さL）は、記憶部４１に記憶された定型用紙情報４２を利用して、原稿幅Wに対応する長さとして記憶されている情報から、取得する。
以上の処理により、原稿幅Wと副走査方向の長さ（原稿長さL）が算出されるので、原稿台１０に置かれた定型原稿のサイズが特定される。
この原稿サイズの判定処理では、A４などの定型原稿の大きさを判定できる。
また、右端影S2が認識された場合に、走査ユニット２０の移動を停止してもよいので、原稿全体をスキャンするいわゆるプレスキャンをする必要がなく、比較的早く、実際の画像読取走査を開始することができる。
【００９２】
さらに、右端影S2が認識された場合、右端影S2の位置から、原稿の右端の位置がほぼわかるので、左光源１３の位置を原稿右端の下まで戻すように、走査ユニット２０を右方向にわずかに移動させた後、左光源１３と右光源１４とを原稿の画像を読み取るレベルの光の強度に設定して、原稿の画像を実際に読み取りながら、走査ユニット２０を左方向に移動させ、原稿の副走査方向の長さ（原稿長さL）に相当する距離だけ移動させた後、停止させてもよい。
これによれば、プレスキャンをすることなく、ユーザがスキャン開始操作をすることにより、定型用紙の原稿のサイズの判定と、原稿画像の実際の読み取りを、迅速に実行することができる。
【００９３】
（実施例８）
図１０に、この発明の影検出による原稿サイズの判定処理の一実施例の説明図を示す。
図１０(a)から図１０(d)は、図１(a)と同様に、装置を正面方向から見た概略断面図である。図１０でも、説明に必要な構成のみを図示している。
ここでは、原稿３０は、原稿台１０の左端のガイドラインとの間にいくらかのすき間をあけて置く。原稿台１０の上端のガイドラインに対しては、原稿を、上端のガイドラインに沿って置いてもよいが、原稿台１０の上端のガイドラインに沿って置かずに、すき間をあけて置いてもよい。
ただし、原稿３０を、原稿台１０の左端と上端のガイドラインとの間にすき間をあけて置く場合は、原稿３０の左端の短辺と原稿台１０の左端とがほぼ平行になり、原稿３０の上部の長辺と上端のガイドラインとがほぼ平行になるように、原稿台の上に置かれるものとする。
【００９４】
原稿３０は、定型サイズの用紙、または不定形サイズの用紙のどちらでもよい。
また、図１０(a)に示すように、原稿カバー１１を閉じ、原稿３０を上から押さえるものとする。
この実施例８では、左端影S1と右端影S2の位置を検出して、原稿幅Wと副走査方向の長さ（原稿長さL1）を算出して、定型用紙あるいは不定形サイズの用紙の原稿サイズを特定する。
ただし、原稿の直下を移動中において、２つの光源の強度を異ならせるが、図４から図８に記載した実施例と異なり、２つの光源のうち、どちらか一方の光源のみを点灯させ、他方の光源は、消灯させる。左端影S1を検出する場合は、右光源１４のみを点灯させ、右端影S2を検出する場合は、左光源１３のみを点灯させる。
【００９５】
この実施例８では、走査ユニット２０の初期位置を、原稿台１０の左端に設定する。たとえば、入力操作部２４によって、ユーザが読取の開始入力をした場合、走査制御部３３が、走査ユニット２０を、原稿台１０の左端に移動させておく。
次に、左光源１３を消灯し、右光源１４を点灯した後、走査ユニット２０を、副走査方向の右方向に移動させる。ここでは、左光源１３と右光源１４の光の強度は、０：１０である。
【００９６】
図１０(a)に示すように、走査ユニット２０が右方向に移動し、右光源１４が、原稿３０の左端よりも右側の位置まで移動してきたとする。
このとき、右光源１４から出射された光によって、図８(a)に示すように、左端影S1が、原稿３０の左端の左側にできる。左端影S1は、原稿３０の左端全体に沿って、細長い長方形であり、左端影S1の主走査方向の長さは、原稿３０幅Wにほぼ等しい。
この左端影S1は、画像読取部１９により読取画像データの一部として取得され、影認識部３４によって、影として認識される。また、走査ユニット２０の位置や移動方向などから、Y方向の影の位置と、影の主走査方向の長さが求められ、左端影S1であると認識される。Y方向の影の位置は、原稿３０の左端の位置にほぼ等しい。そこで、Y方向の影の位置を、原稿の左端の位置として、一時記憶しておく。
また、左端影S1の主走査方向の長さは、原稿幅Wにほぼ等しいので、原稿幅Wが算出される。
【００９７】
図１０(a)の状態で、左端影S1が認識された後、光源の光の強度を切り替える。
すなわち、図１０(b)に示すように、左光源１３を点灯し、右光源１４を消灯した後、走査ユニット２０を、副走査方向の右方向に移動させる。ここでは、左光源１３と右光源１４の光の強度は、１０：０である。
【００９８】
図１０(c)は、走査ユニット２０を、副走査方向の右方向に移動している途中の状態を示している。
図１０(c)のように、２つの光源の上に原稿がある状態では、影はできないので、そのまま移動する。ただし、移動距離L1を、把握しておく。
【００９９】
次に、図１０(d)において、走査ユニット２０が右方向に移動し、右光源１４が、原稿３０の右端よりも右側の位置まで移動してきたとする。
このとき、左光源１３から出射された光によって、図１０(d)に示すように、右端影S2が、原稿３０の右端の右側にできる。右端影S2は、原稿３０の右端全体に沿って、細長い長方形であり、右端影S2の主走査方向の長さは、原稿３０幅Wにほぼ等しい。
この右端影S2は、画像読取部１９により読取画像データの一部として取得され、影認識部３４によって、影として認識される。また、走査ユニット２０の位置や移動方向などから、Y方向の影の位置と、影の主走査方向の長さが求められ、右端影S2であると認識される。Y方向の影の位置は、原稿３０の右端の位置にほぼ等しい。
【０１００】
右端影S2が認識された場合、走査ユニット２０の移動距離L１から、右端影S2の位置が分かる。その右端影S2が認識された位置は、原稿の右端の位置にほぼ等しいので、一時記憶しておいた原稿の左端の位置と、右端影S2が認識された位置との差から、原稿３０の副走査方向の長さ（原稿長さL１）が、測定できる。
すなわち、原稿の左端の位置から、右端影S2が認識された位置までの移動距離L1を、原稿３０の副走査方向の長さ（原稿長さL１）とすればよい。
右端影S2が認識された場合は、走査ユニット２０の移動を停止する。
【０１０１】
以上の処理により、原稿幅Wと副走査方向の長さ（原稿長さL1）が算出されるので、原稿台１０に置かれた原稿のサイズが特定される。
この原稿サイズの判定処理では、原稿幅Wと原稿長さL１とが、実際に測定されるので、A４などの定型原稿でも、不定型原稿でも、その大きさを判定できる。
なお、走査ユニット２０の移動中において、点灯する左光源１３だけの光強度を、原稿に記載された画像等を実際に読取りできる強度とすることができる場合は、走査ユニット２０の移動中に、画像等の実際の読取り動作を行ってもよい。これにより、特定されたサイズの原稿に記載された画像の実際の読取も、原稿のサイズの特定とほぼ同時に行われるので、再度画像を読取る走査をしなくても、そのサイズの用紙に記載された画像を読取ることができる。
【０１０２】
（実施例９）
図１１に、この発明の影検出による原稿サイズの判定処理の一実施例の説明図を示す。
図１１(a)から図１１(c)は、図１(a)と同様に、装置を正面方向から見た概略断面図である。図１１でも、説明に必要な構成のみを図示している。
ここでは、画像読取装置が、１つの光源しか持たない場合で、定型原稿のサイズを判定する処理を示す。
原稿３０は、原稿台１０の左端と上端のガイドラインとの間にいくらかのすき間をあけて置いてもよく、あるいは、原稿台１０の左端と上端のガイドラインに沿って置いてもよい。
ただし、原稿３０を、原稿台１０の左端と上端のガイドラインとの間にすき間をあけて置く場合は、原稿３０の左端の短辺と原稿台１０の左端とがほぼ平行になり、原稿３０の上部の長辺と上端のガイドラインとがほぼ平行になるように、原稿台の上に置かれるものとする。
【０１０３】
原稿３０は、定型の用紙のみとする。
また、図１１(a)に示すように、原稿カバー１１を閉じ、原稿３０を上から押さえるものとする。
この実施例９では、右端影S2の位置を検出して、原稿幅Wと副走査方向の長さ（原稿長さL1）を算出して、定型サイズの用紙の原稿サイズを特定する。
また、１つの光源１３のみを点灯させた状態で、走査ユニット２０を右方向に移動させるものとする。
【０１０４】
この実施例９では、走査ユニット２０の初期位置を、原稿台１０の左端に設定する。たとえば、入力操作部２４によって、ユーザが読取の開始入力をした場合、走査制御部３３が、走査ユニット２０を、原稿台１０の左端に移動させておく。
次に、１つの光源１３を点灯させた後、走査ユニット２０を、副走査方向の右方向に移動させる。
【０１０５】
図１１(a)に示すように、走査ユニット２０が右方向に移動し、光源１３が、原稿３０の左端よりも左側にある場合は、影はできない。
図１１(b)は、走査ユニット２０を、副走査方向の右方向に移動している途中の状態を示している。
ここで、図１１(a)の状態から走査ユニット２０がさらに右方向に移動し、図１１(b)に示すように、光源１３の上に原稿がある状態では、影はできない。
さらに、走査ユニット２０を右方向に移動しつづけると、図１１(c)に示すような状態となる。
【０１０６】
図１１(c)において、光源１３が、原稿３０の右端のやや左側の位置まで移動してきたとする。
このとき光源１３から出射された光によって、図１１(c)に示すように、右端影S2が、原稿３０の右端の右側にできる。右端影S2は、原稿３０の右端全体に沿って、細長い長方形であり、右端影S2の主走査方向の長さは、原稿３０幅Wにほぼ等しい。
この右端影S2は、画像読取部１９により読取画像データの一部として取得され、影認識部３４によって、影として認識される。また、走査ユニット２０の位置や移動方向などから、Y方向の影の位置と、影の主走査方向の長さが求められ、右端影S2であると認識される。Y方向の影の位置は、原稿３０の右端の位置にほぼ等しい。
右端影S2が認識された場合、走査ユニット２０の移動を停止してもよい。
【０１０７】
上記したように、右端影S2の主走査方向の長さは、原稿幅Wにほぼ等しいので、まず、原稿幅Wが算出される。
原稿３０の副走査方向の長さ（原稿長さL）は、記憶部４１に記憶された定型用紙情報４２を利用して、原稿幅Wに対応する長さとして記憶されている情報から、取得する。
以上の処理により、原稿幅Wと副走査方向の長さ（原稿長さL）が算出されるので、原稿台１０に置かれた定型原稿のサイズが特定される。
この原稿サイズの判定処理では、A４などの定型原稿の大きさを判定できる。
【０１０８】
以上の処理により、原稿幅Wと副走査方向の長さ（原稿長さL1）が算出されるので、原稿台１０に置かれた定型原稿のサイズが特定される。
この原稿サイズの判定処理では、光源が１つの場合でも、原稿幅Wを測定することによって、A４などの定型原稿の大きさを判定できる。
【０１０９】
図１２に、上記した実施例における原稿サイズの判定処理の内容をまとめた説明図を示す。
ここでは、実施例ごとに、光源の点灯消灯とその点灯強度、光源強度の切替の有無、認識する影の位置、走査ユニットの移動方向、移動開始位置、取得可能な原稿の長さ、判定可能な原稿の種類を示している。
ただし、ここに示した実施例に限るものではなく、光源の点灯強度、光源の移動方向、認識する影の位置などを異ならせることによって、原稿サイズの判定処理をしてもよい。
【符号の説明】
【０１１０】
１  画像読取装置、
１０  原稿台、
１１  原稿カバー、
１２  スキャナ部、
１３  左光源、
１３a  左導光路、
１３b   LED、
１３c   LED、
１４  右光源、
１４a  右導光路、
１４b   LED、
１４c   LED、
１５  第１ミラー、
１６  第２ミラー、
１７  第３ミラー、
１８  レンズ、
１９  画像読取部（CCD）、
２０  走査ユニット、
２０a  光源ユニット、
２０b  反射ユニット、
２１  ガイド軸、
２４  入力操作部、
３０  原稿、
３１  制御部、
３２  光照射部，
３３  走査制御部、
３４  影認識部、
３５  原稿幅算出部、
３６  原稿長さ算出部、
３７  原稿サイズ判定部、
４１  記憶部、
４２  定型用紙情報、
４３  読取画像データ、
４４  影情報、
L1  原稿長さ、
S１  左端影、
S２  右端影、
W  原稿幅
【図１】
2018006955.tif 000003
【図２】
2018006955.tif 000004
【図３】
2018006955.tif 000005
【図４】
2018006955.tif 000006
【図５】
2018006955.tif 000007
【図６】
2018006955.tif 000008
【図７】
2018006955.tif 000009
【図８】
2018006955.tif 000010
【図９】
2018006955.tif 000011
【図１０】
2018006955.tif 000012
【図１１】
2018006955.tif 000013
【図１２】
2018006955.tif 000014